【手続補正書】
【提出日】平成15年9月3日(2003.9.3)
【手続補正１】
【補正対象書類名】明細書
【補正対象項目名】発明の名称
【補正方法】変更
【補正の内容】
【発明の名称】電力給電装置


【手続補正２】
【補正対象書類名】明細書
【補正対象項目名】特許請求の範囲
【補正方法】変更
【補正の内容】
【特許請求の範囲】
【請求項１】
交流商用電力を直流に変換する直流電力供給源と、
この直流電力供給源が有する太陽発電及び風力発電の大規模分散電源と、
この大規模分散電源の出力系統に接続された蓄電池と、
前記直流電力供給源の下流に設けた直流電力供給網によって接続された一般家庭やビル等の民間施設に設置された燃料電池及び太陽電池の小規模分散電源とを備え、
前記直流電力供給網から直流電力を供給することを特徴とする電力給電装置。
【請求項２】
請求項１記載の電力給電装置において、
前記風力発電は、複数の風力発電から構成され、
これらの複数の風力発電は、風力条件の異なる場所に設置されていることを特徴とする電力給電装置。
【請求項３】
請求項１記載の電力給電装置において、
前風力発電は、風力によって発生した動力エネルギーを蓄積するフライホイールと、
このフライホールへの動力伝達・遮断を制御する制御手段とを備え、
この制御手段は、風力によって発生したエネルギーに応じて、前記フライホイールに動力エネルギーを蓄積し、また、蓄積された動力エネルギーを放出するように制御することを特徴とする電力給電装置。
【請求項４】
請求項１記載の電力給電装置において、さらに、
前記分散電源によって発電された直流電力の負荷への供給を制御するとともに、直流電圧を変換する直流電圧変換器を有するコントロールユニットを備え、
このコントロールユニットを用いて、前記直流分散電源からの直流電力若しくは、上流側に接続された直流電力供給源から供給される直流電力を、前記直流電圧変換器により電圧変換した上で、一般家庭やビル等の民間施設の直流電源対応の前記負荷に供給することを特徴とする電力給電装置。
【請求項５】
請求項１記載の電力給電装置において、
前記負荷における電力不足時には、前記直流電力供給源から買電し、電力余剰時には、前記直流電力供給源に売電することを特徴とする電力給電装置。
【請求項６】
請求項１記載の電力給電装置において、
前記燃料電池の出力は、一般家庭やビル等の民間施設の熱負荷に応じて設定し、前記燃料電池の排熱により、ビルの冷暖房や一般家庭の給湯のエネルギーをまかなうことを特徴とする電力給電装置。
【請求項７】
請求項１記載の電力給電装置において、
前記負荷に給電するコンセント・プラグは、感電防止保護カバー付多種電圧１体型とし、
コンセント・プラグで直結する負荷の入力回路にはコンセント差込時の無負荷状態を確保できる保護回路を備えたことを特徴とする電力給電装置。
【請求項８】
請求項１記載の電力給電装置において、
前記直流電力網を用いて、通信信号を搬送し、通信ネットワーク網を構成することを特徴とする電力給電装置。
【請求項９】
請求項１記載の電力給電装置において、
前記複数個の直流電力供給源間で、電力の供給を補間することを特徴とする電力給電装置。
【手続補正３】
【補正対象書類名】明細書
【補正対象項目名】０００１
【補正方法】変更
【補正の内容】
【０００１】
【発明の属する技術分野】
本発明は、電力給電装置に係り、特に、直流分散電源を有する直流電力網による電力給電装置に関する。


【手続補正４】
【補正対象書類名】明細書
【補正対象項目名】０００５
【補正方法】変更
【補正の内容】
【０００５】
本発明の目的は、給電効率を向上させた電力給電装置を提供することにある。


【手続補正５】
【補正対象書類名】明細書
【補正対象項目名】０００６
【補正方法】変更
【補正の内容】
【０００６】
【課題を解決するための手段】
（１）上記目的を達成するために、本発明は、交流商用電力を直流に変換する直流電力供給源と、この直流電力供給源が有する太陽発電及び風力発電の大規模分散電源と、この大規模分散電源の出力系統に接続された蓄電池と、前記直流電力供給源の下流に設けた直流電力供給網によって接続された一般家庭やビル等の民間施設に設置された燃料電池及び太陽電池の小規模分散電源とを備え、前記直流電力供給網から直流電力を供給するようにしたものである。
かかる方法によって、給電効率を向上させ得るものとなる。


【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
（２）上記（１）において、好ましくは、前記風力発電は、複数の風力発電から構成され、これらの複数の風力発電は、風力条件の異なる場所に設置するようにしたものである。


【手続補正９】
【補正対象書類名】明細書
【補正対象項目名】００１０
【補正方法】変更
【補正の内容】
【００１０】
（３）上記（１）において、好ましくは、前風力発電は、風力によって発生した動力エネルギーを蓄積するフライホイールと、このフライホールへの動力伝達・遮断を制御する制御手段とを備え、この制御手段は、風力によって発生したエネルギーに応じて、前記フライホイールに動力エネルギーを蓄積し、また、蓄積された動力エネルギーを放出するように制御するものである。


【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】変更
【補正の内容】
【００１２】
（４）上記（１）において、好ましくは、さらに、前記分散電源によって発電された直流電力の負荷への供給を制御するとともに、直流電圧を変換する直流電圧変換器を有するコントロールユニットを備え、このコントロールユニットを用いて、前記直流分散電源からの直流電力若しくは、上流側に接続された直流電力供給源から供給される直流電力を、前記直流電圧変換器により電圧変換した上で、一般家庭やビル等の民間施設の直流電源対応の前記負荷に供給するようにしたものである。


【手続補正１２】
【補正対象書類名】明細書
【補正対象項目名】００１３
【補正方法】変更
【補正の内容】
【００１３】
（５）上記（１）において、好ましくは、前記負荷における電力不足時には、前記直流電力供給源から買電し、電力余剰時には、前記直流電力供給源に売電するようにしたものである。


【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】変更
【補正の内容】
【００１６】
（６）上記（１）において、好ましくは、前記燃料電池の出力は、一般家庭やビル等の民間施設の熱負荷に応じて設定し、前記燃料電池の排熱により、ビルの冷暖房や一般家庭の給湯のエネルギーをまかなうようにしたものである。


【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】変更
【補正の内容】
【００１９】
（７）上記（１）において、好ましくは、前記負荷に給電するコンセント・プラグは、感電防止保護カバー付多種電圧１体型とし、コンセント・プラグで直結する負荷の入力回路にはコンセント差込時の無負荷状態を確保できる保護回路を備えるようにしたものである。


【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】変更
【補正の内容】
【００２１】
（８）上記（１）において、好ましくは、前記直流電力網を用いて、通信信号を搬送し、通信ネットワーク網を構成するようにしたものである。


【手続補正２１】
【補正対象書類名】明細書
【補正対象項目名】００２２
【補正方法】変更
【補正の内容】
【００２２】
（９）上記（１）において、好ましくは、前記複数個の直流電力供給源間で、電力の供給を補間するようにしたものである。